(57)【要約】【課題】画像形成装置において、紙詰まり解除を行う時のサポートをする。【解決手段】画像形成装置の使用者が持つ携帯電話から発信される電波を受信するアンテナを画像形成装置内部の複数ヶ所に備え、アンテナで受信した電波の強度から、該携帯電話の位置を演算し、紙詰り解除をする為に操作するユニットと携帯電話との距離に応じて発生する音の大きさを変える事により紙詰まり解除のサポートをする事を特徴とした画像形成装置のジャム解除処理のサポート方法及び装置。【選択図】　　　　図１
2004109445.tif 000002
【特許請求の範囲】
【請求項１】
携帯電話又は携帯情報端末から発信される電波を受信するアンテナを画像形成装置内部の複数ヶ所に備え、該複数のアンテナで受信した該携帯電話又は携帯情報端末から発信される電波の強度から該携帯電話又は携帯情報端末の位置を演算し、その情報を元に該携帯電話又は携帯情報端末を持った使用者に対して、画像形成装置内部の特定の位置を示し導く事を特徴とした画像形成装置。
【請求項２】
画像形成装置の使用者が各自持つ携帯電話又は携帯情報端末から発信される電波を受信するアンテナを画像形成装置内部の複数ヶ所に備え、使用者が紙詰まり解除をする際に、使用者が該携帯電話又は携帯情報端末を画像形成装置内部に近づけると、該複数のアンテナで受信した該携帯電話又は携帯情報端末から発信される電波の強度から、該携帯電話又は携帯情報端末の位置を演算し、紙詰り解除をする為に操作するユニットに近づけると、画像形成装置から発生する音声を大きくし、操作するユニットから遠ざけると画像形成装置から発生する音声を小さくする事により、使用者にどのユニットを操作するべきかを順次伝え、それによって使用者が紙詰まり解除をする際のサポートをする事を特徴とした請求項１に記載の画像形成装置のジャム解除処理のサポート方法。
【請求項３】
画像形成装置の使用者が各自持つ携帯電話又は携帯情報端末から発信される電波を受信するアンテナを画像形成装置内部の複数ヶ所に備え、使用者が紙詰まり解除をする際に、使用者が該携帯電話又は携帯情報端末を画像形成装置内部に近づけると、該複数のアンテナで受信した該携帯電話又は携帯情報端末から発信される電波の強度から、該携帯電話又は携帯情報端末の位置を演算し、紙詰り解除をする為に操作するユニットに近づけると、画像形成装置から発生する音声を大きくし、操作するユニットから遠ざけると画像形成装置から発生する音声を小さくする事により、使用者にどのユニットを操作するべきかを順次伝え、それによって使用者が紙詰まり解除をする際のサポートをする事を特徴とした請求項１に記載の画像形成装置のジャム解除処理のサポート装置。
【発明の詳細な説明】
【０００１】
【発明の属する技術分野】
本発明は、プリンタや複写機等の画像形成装置、そのジャム解除処理のサポート方法及び装置に関し、特にその保守作業、記録紙詰まり解除作業に関する物である。
【０００２】
【従来の技術】
従来から、例えば目が不自由な障害者向けの複写機には、画像形成中に記録紙のジャムが発生したときは、ジャム処理の手順を説明する音声を複写機本体に設けられたスピーカーから流して使用者に知らせるものがある。
【０００３】
【発明が解決しようとする課題】
しかしながら、上記従来例では一方的に画像形成装置からの情報を紙詰り解除作業をする使用者に伝達するだけであり、使用者がどこを操作しようとしているのかを画像形成装置が認識する事は無かったので、紙詰まり除去作業手順等が分かり辛いという問題があった。
【０００４】
本発明は、上記事情に基づいてなされたものであり、紙詰まり除去作業時に使用者がどのユニットを操作しようとしているのかを画像形成装置側で認識する事により、使用者に紙詰まり除去作業方法をより解り易く伝達しサポートする事を目的とする。また使用者がどのユニットを操作しようとしているのかを検知するために、昨今ほとんどの人が携帯している携帯電話又は携帯情報端末から発信される電波を利用する事により、簡易な装置を用い低コストで実現する事を目的とする。
【０００５】
【課題を解決するための手段】
本発明は、上記の目的を達成するために、
画像形成装置の使用者が各自持つ携帯電話又は携帯情報端末から発信される電波を受信するアンテナを画像形成装置内部の複数ヶ所に備え、使用者が紙詰まり解除をする際に、使用者が該携帯電話又は携帯情報端末を画像形成装置内部に近づけると、該複数のアンテナで受信した該携帯電話又は携帯情報端末から発信される電波の強度から、該携帯電話又は携帯情報端末の位置を演算し、紙詰り解除をする為に操作するユニットに近づけると、画像形成装置から発生する音声を大きくし、操作するユニットから遠ざけると画像形成装置から発生する音声を小さくする事により、使用者にどのユニットを操作するべきかを順次伝える事により、使用者が紙詰まり解除をする際のサポートをする事を特徴とする。
【０００６】
以上、本発明を整理して要約すれば以下の構成に集約できる。
【０００７】
（１）携帯電話又は携帯情報端末から発信される電波を受信するアンテナを画像形成装置内部の複数ヶ所に備え、該複数のアンテナで受信した該携帯電話又は携帯情報端末から発信される電波の強度から該携帯電話又は携帯情報端末の位置を演算し、その情報を元に該携帯電話又は携帯情報端末を持った使用者に対して、画像形成装置内部の特定の位置を示し導く事を特徴とした画像形成装置。
【０００８】
（２）画像形成装置の使用者が各自持つ携帯電話又は携帯情報端末から発信される電波を受信するアンテナを画像形成装置内部の複数ヶ所に備え、使用者が紙詰まり解除をする際に、使用者が該携帯電話又は携帯情報端末を画像形成装置内部に近づけると、該複数のアンテナで受信した該携帯電話又は携帯情報端末から発信される電波の強度から、該携帯電話又は携帯情報端末の位置を演算し、紙詰り解除をする為に操作するユニットに近づけると、画像形成装置から発生する音声を大きくし、操作するユニットから遠ざけると画像形成装置から発生する音声を小さくする事により、使用者にどのユニットを操作するべきかを順次伝え、それによって使用者が紙詰まり解除をする際のサポートをする事を特徴とした前記（１）に記載の画像形成装置のジャム解除処理のサポート方法。
【０００９】
（３）画像形成装置の使用者が各自持つ携帯電話又は携帯情報端末から発信される電波を受信するアンテナを画像形成装置内部の複数ヶ所に備え、使用者が紙詰まり解除をする際に、使用者が該携帯電話又は携帯情報端末を画像形成装置内部に近づけると、該複数のアンテナで受信した該携帯電話又は携帯情報端末から発信される電波の強度から、該携帯電話又は携帯情報端末の位置を演算し、紙詰り解除をする為に操作するユニットに近づけると、画像形成装置から発生する音声を大きくし、操作するユニットから遠ざけると画像形成装置から発生する音声を小さくする事により、使用者にどのユニットを操作するべきかを順次伝え、それによって使用者が紙詰まり解除をする際のサポートをする事を特徴とした前記（１）に記載の画像形成装置のジャム解除処理のサポート装置。
【００１０】
【発明の実施の形態】
以下に、図面を参照しながら発明の実施の形態について説明する。
【００１１】
図１は、本発明の第１実施形態に係る画像形成装置の制御系の構成を示すブロック図であり、図２は、本実施形態の画像形成装置の一例を示す断面構成図である。
【００１２】
まず、図２において、１００は複写装置本体、２００は原稿の自動給送を行う循環式自動原稿送り装置、即ちフィーダー（以下ＲＤＦと記す）、２５０は仕分け装置、即ちソーターであり、これらＲＤＦ２００とソーター２５０は本体１００に対して自在に組合わせ使用出来るようになっている。
【００１３】
１０１は原稿積載置台としての原稿台ガラスである。また、１０２は画像読取り手段としての光学系であり、原稿照明ランプ（露光ランプ）１０３と、走査ミラーと、レンズ１４３と、モーター１０４等から構成されており、モーター１０４により走査しつつ露光ランプ１０３で原稿を照明し、原稿からの反射光を走査ミラーとレンズにより感光体ドラム１０５に照射する。
【００１４】
前記感光体ドラム１０５の回りには、１次帯電器１０６と、ブランク露光ユニット１０７と、電位センサ１０８と、現像器１０９と、転写帯電器１１０と、分離帯電器１１１と、クリーニング装置１１２とが装備されていて、これら感光体ドラム１０５等により画像形成手段が構成されている。
【００１５】
感光体ドラム１０５は、メインモーター１１３により図２に示す矢印の方向に回転するもので、１次帯電器１０６によりコロナ帯電されており、光学系１０２から原稿の反射光が照射されると、静電潜像が形成される。この静電潜像は、現像器１０９により現像されてトナー像として可視化される。
【００１６】
一方、上段カセット１１４あるいは下段カセット１１５からピックアップローラ１１６、１１７を介し、給紙ローラ１１８、１１９により本体１００内に送られた転写紙が、レジストローラ１２０によりトナー像の先端と転写紙の先端とが一致するようにタイミングがとられた後、感光体ドラム１０５に給送され、転写帯電器１１０によりトナー像が転写される。この転写後、転写紙は分離帯電器１１１により感光体ドラム１０５から分離され、搬送ベルト１２１により定着器１２２に導かれて加圧、加熱により定着され、この後排出ローラ１２３により本体１００の外に排出される。
【００１７】
また、感光体ドラム１０５はクリーニング装置１１２により、その表面が清掃される。また、本体１００には、例えば４０００枚の転写紙を収納し得るデッキ１２４が装備されている。デッキ１２４のリフタ１２５は、給紙ローラ１２６に転写紙が常に当接するように転写紙の量に応じて上昇する。
【００１８】
さらに図２において、１２７は排紙フラッパであり、両面記録側ないし多重記録側と排出側（ソーター２５０）の経路を切り替える。排出ローラ１２３から送り出された転写紙は、この排紙フラッパ１２７により両面記録側ないし多重記録側に切り替えられる。また、１２８は下搬送パスであり、排出ローラ１２３から送り出された転写紙を反転搬送パス１２９を介し転写紙を裏返して再給紙トレイ１３０に導く。
【００１９】
また、１３１は両面記録と多重記録の経路を切り替える多重フラッパであり、これを左方向に倒す事により転写紙を搬送パス１２９に介さず、直接搬送パス１２８に導く。１３２は経路１３３を通じて転写紙を感光体ドラム１０５側に給紙する総紙ローラである。１３４は排紙フラッパ１２７の近傍に配置されて、該排紙フラッパ１２７により排出側に切り替えられた転写紙を機外に排出する排出ローラである。両面記録（両面複写）や多重記録（多重複写）時には、排紙フラッパ１２７を上方に上げて、複写済みの転写紙を搬送パス１２８、１２９を介して裏返した状態で再給紙トレイ１３０に格納する。このとき、両面記録時には多重フラッパ１３１を右方向へ倒し、また多重記録時には該多重フラッパ１３１を左方向へ倒しておく。
【００２０】
次に行う裏面記録時や多重記録時には、再給紙トレイ１３０に格納されている転写紙が、下から１枚づつ給紙ローラ１３２により経路１３３を介して本体のレジストローラ１２０に導かれる。本体から転写紙を反転して排出する時には、排紙フラッパ１２７を上方へ上げ、フラッパ１３１を右方向へ倒し、複写済みの転写紙を搬送パス１２９側へ搬送し、転写紙の後端が第１の送りローラ１４０を通過した後に反転ローラ１４２によって第２の送りローラ側へ搬送し、排出ローラ１３４によって、転写紙を裏返して機外へ排出される。
【００２１】
なお、転写紙の搬送路には、不図示の複数の転写紙検出用のセンサがあり、各々のセンサに対して、所定タイミングまでに転写紙が到達しないことの検知（遅延ジャム検知）、所定タイミングまでに転写紙がセンサから抜けないことの検知（滞留ジャム検知）、などの紙詰まり検知（ジャム検知）が行われ、紙詰まりが検出された場合には、所定動作後に装置を停止させ、所定の紙詰まり表示（ジャム表示）が行われる。
【００２２】
また転写紙の搬送経路には、不図示の紙詰まり解除作業時に使用者が操作しなければならないユニットやレバーが複数存在する。該ユニットやレバーの付近に、本発明の特徴である携帯電話又は携帯情報端末から発信される電波を受信する為の小型アンテナを複数設ける。紙詰まり解除作業時に使用者が手に持った携帯電話又は携帯情報端末から発信される電波を該アンテナで受信し、各アンテナの受信強度から携帯電話又は携帯情報端末の位置即ち使用者の手の位置を演算によって求め、この情報を紙詰まり解除作業のサポートに用いる。
【００２３】
図３は、上述の本体１００に設けた操作部６００の配置構成例を示す図である。同図において、６０１はリセットキーで、コピーモードを標準モードにするとき使用する。６０２はストップキーで、コピーを中止するとき使用する。６０３はスタートキーで、コピーを開始するとき使用する。６０４はテンキーで、コピー枚数の設定、テンキーからの数値入力に使用する。６０５はクリアキーで、コピー枚数を１にするとき、テンキーからの数値入力をクリアするときに使用する。６０６は暗証キーで、暗証モード設定時に使用する。６０７は予熱キーで、予熱モードの設定／解除時に使用する。予熱モードの設定時には定着器の温度を下げて消費電力を少なくすることができる。６０８は割り込みキーで、割り込みコピーをするとき使用する。６０９はユーザーモードキーで、仕様設定、タイマー設定など、ユーザーモードの設定／解除時に使用する。６１０はガイドキーで、モードの説明を表示させるときに使用する。７００はメッセージディスプレイで、３２０＊２４０ドットの透過型ＬＣＤ（液晶）ユニット７０１と、冷陰極管からなるバックライト７０２で構成され、表面には１５＊２０のキーマトリックスのタッチパネル７０３が配置され、各種設定モード表示や各種状態表示、また、タッチパネルのキー入力に対応したキー表示などが行われる。
【００２４】
図４（ａ）において、７１０は倍率、選択給紙カセットコピー枚数などの表示部である。７１１は縮小／拡大キーで、定型変倍の縮小／拡大時に使用する。７１２は等倍キーで、倍率を等倍（１００％）に戻すとき使用する。７１３は用紙選択キーで、オート用紙選択、上段ペーパーリフタ、下段ペーパーリフタ、ペーパーデッキ１２４、マルチ手差し１５０を選択するとき使用する。７１４はズームキーで、ズームモードの設定時に使用する。７１５は少し小さめキーで、原稿の画像を少し縮小（９３％）してコピーするときに使用する。７１６はコピー濃度キーで、コピー濃度をマニュアルで調整するとき使用する。７１７はＡＥキーで、ＡＥモード（自動濃度調整）の設定／解除時に使用する。７１８はソーターキーで、ソートモード、ステイプルソートモード、グループモード選択時に使用する。７１９は両面キーで、両面モードの設定／解除時に使用する。７２０は応用モードキーで、基本画面に出ていない応用モードを選択するとき使用する。
【００２５】
図５は、上述の複写装置本体と無線通信インターフェース４０１を介して接続される携帯情報端末の外観を示す図である。
【００２６】
図６は、該携帯情報端末の内部構成を示すブロック図である。５０１は制御回路でＣＰＵとＲＯＭからなり、５０３のキー入力部から入力された個人情報等を、５０２のＲＡＭに保存する。５０２のＲＡＭには、所有する身体障害者の氏名、年齢、性別、障害の種類、等級、車椅子に座ったときの高さ、あるいはその人が利用しやすい脚部の高さ等の情報等が記憶される。
【００２７】
５０４はＬＣＤ表示部で、使用者に対して紙詰まり等を知らせるものである。５０５は無線インターフェース部であり、複写機本体との情報通信を行う。携帯情報端末を持った使用者が本複写装置の前に近づくと、複写装置本体に対して所有者の個人情報を送出し、紙詰まり解除等の保守点検作業を行う際にサポート情報を受信する。
【００２８】
５０６はスピーカーで、複写装置本体から入力された情報に基づいて使用者に音声でメッセージを伝える。５０７は振動発生部で、スピーカー５０６と同様に使用者に振動でメッセージを伝える。
【００２９】
次に、本実施形態の制御系を図１を用いて説明する。
【００３０】
図１において、１００４は制御回路（コントローラ）で、ＣＰＵ１００４ａ、ＲＯＭ１００４ｂ、ＲＡＭ１００４ｃ等から構成され、ＲＯＭ１００４ｂに格納されたプログラムに基づいて複写シーケンスを総轄制御する。サーミスタ３０２は、定着ローラ１４４の表面温度を検出し、３０１でＡ／Ｄ変換された値が制御回路１００４に入力される。制御回路１００４は、サーミスタ３０２の検出値により、定着ローラ１４４の表面温度が所定値になるように制御している。高圧制御部３０３は、１次帯電器１０６、転写帯電器１１０等の帯電系、及び現像器１０９等に所定の電位を印加する高圧ユニット３０４の制御を行う。モーター制御部３０５は、各種ステッピングモーターやメイン駆動モーター等のモーター３０６の駆動を制御する。ＤＣ負荷制御部３０７は、ピックアップローラ１１６用等のソレノイド、レジストローラ１２０用等のクラッチ、及びファン等の駆動を制御する。
【００３１】
３５１は、複写機本体のドアの開閉状態を検知するセンサ、３５２は、ジャム処理等に用いられる搬送路上の転写紙の検知用センサ、３５３は記録紙搬送系の各ユニット付近に設けられた受信アンテナ類で、紙詰まり解除処理時に使用者の持つ携帯電話又は携帯情報端末が接近した事を検知する。
【００３２】
３０８はその他のセンサ類で、それぞれ制御回路１００４に入力される。
【００３３】
ＡＣドライバー１０００は、原稿照明ランプ１０３等のＡＣ負荷３０９、及び定着ヒータ３１０へのＡＣ電源供給を制御する。また、原稿照明ランプ１０３、定着ヒータ３１０等の異常を検出し、シャットオフ機能付きのメインスイッチ１００１をオフ状態にする。さらに、制御回路１００４の制御により、メインスイッチ１００１前後のＡＣ入力が切り換えられて電源１１００に入力される。
【００３４】
電源１１００は、制御回路１００４等にＤＣ電源を供給し、ＡＣドライバー１０００からのＡＣ電源が入力されると共に、入力電源プラグ３１１から、メインスイッチ１００１、ドアスイッチ１００７を介したＡＣ電源が電源１１００に入力される。
【００３５】
ペーパーデッキ１２４は、転写紙の積載枚数を増やすための給紙装置、フィーダー２００は、複数枚の原稿を自動的にセットするための自動原稿送り装置、ソーター２５０は、排出される転写紙を仕分けするための仕分け装置である。
【００３６】
操作部６００は、前述したように、タッチパネル７０３、ＬＣＤ７０１、バックライト７０２等で構成され、タッチパネル７０３からのキー入力信号、及びスタートキー６０３等のキー入力信号は、キー入力部６５０に一旦入力された後、バッファ部８００を介して、制御部１００４に入力される。
【００３７】
４０１は使用者が携帯している携帯情報端末との通信を行う無線通信インターフェース回路部で、図５に示す携帯情報端末から、複写機を使用する身体障害者の氏名、年齢、性別、障害の種類、等級、車椅子に座ったときの高さ、あるいはその人が利用しやすい脚部の高さ等の情報を読み出し、また使用者が紙詰まり等の保守点検作業を行う際にサポート情報を携帯情報端末に対して出力する。携帯情報端末を持った使用者が本複写装置の前に近づくと、携帯情報端末に記憶されている情報が読み取られる。この情報は、本体の記憶部１００４ｃに記憶され、制御部１００４は、この記録された情報に基づいて、例えば、複写機の使用者が弱視の場合、音声案内手段８６１や振動発生装置８６２を制御して使用者の保守作業をサポートし、また本複写装置の状態と照らし合わせ、また使用者の携帯電話又は携帯情報端末の位置即ち使用者の手の位置が複写装置内部のどのユニット付近にあるか検知した情報に応じて順次必要なサポート情報を、携帯端末に出力する。
【００３８】
また、該携帯電話又は携帯情報端末の位置が紙詰り解除をする為に操作するべきユニットに近づくと、音声発生手段８６１から発生する音声を大きくし、操作するべきユニットから遠ざかると音声発生手段８６１から発生する音声を小さくする事により、使用者にどのユニットを操作するべきかを順次伝える。
【００３９】
また本実施例では、携帯情報端末に個人情報を画像形成装置に取り込む例を示したが、携帯情報端末と画像形成装置本体との情報のインターフェースは無くても、本発明の特徴である携帯電話又は携帯情報端末の位置を検出し、それによって紙詰まり解除作業のサポートをする事は可能である。
【００４０】
図８は、本実施形態の画像形成装置における制御回路１００４の紙詰まり解除サポート処理の一例を示すフローチャートである。図７は、図８に示す紙詰まり解除サポート処理に先立って、使用者が複写装置に近づいた時に使用者の個人情報を携帯情報端末から複写装置に取り込む動作を示すフローチャートである。
【００４１】
図７においてまず、使用者が複写装置に接近すると、ステップＳ４００１で携帯情報端末の信号を無線インターフェース手段５０５から無線インターフェース手段４０１で検知し、該情報端末のＲＡＭ５０２に記憶された身体障害者の個人情報を複写装置のＲＯＭ１００４ｂに書き込み保持する。ステップＳ４００２で障害の状況に応じた動作モードで動作する。
【００４２】
次に、記録紙詰まりが発生した場合、図８の紙詰まり解除サポートを開始する。
【００４３】
ステップＳ５００２でＲＯＭ１００４ｂに予め記憶された使用者の情報を読み出し、弱視者か否かを判断し、弱視者の時にはステップＳ５００３で、音声案内手段８６１によって紙詰まり解除のサポートを行うかまたは、無線インターフェース４０１を介して、図５に示す携帯情報端末に対して紙詰まりが発生した事を知らせるコマンドを出力する。携帯情報端末は紙詰まり解除の為に前ドアを開ける事を促す表示をする。ステップＳ５００２の判断で、健常者である場合には、ステップＳ５００４で、標準のサポートを行い、携帯端末にコマンドを出力しない。
【００４４】
次に、ステップＳ５００５で、ドアスイッチ開閉検知３５１により、ドアが開けられているかどうか判断し、開けられていると判断された場合には、ステップＳ５００６で、紙詰まり解除サポートを開始する。携帯情報端末はこれ以降、複写装置からのコマンドに応じて振動や音声を発生させて、紙詰まり解除のサポートを行う。ステップＳ５００５でドアが開けられていないと判断されたときには、ステップＳ５００２へジャンプする。以後、ステップＳ５００２からＳ５００５を繰り返す。
【００４５】
Ｓ５００６の紙詰まり解除モードに移行すると、制御回路１００４は紙検知センサ３５２によって紙詰りの箇所を検知し、それに応じた解除処理のためのユニットを操作する事を使用者に促す為のコマンドを携帯情報端末に出力する。ステップＳ５００７で携帯情報端末は複写装置からのコマンドを受け、ステップＳ５００８で使用者が弱視者の場合は音声にて操作するユニットを知らせる、次にＳ５００９ａで使用者が該当するユニットを操作する為に携帯電話を持ったまま手を近づけると、Ｓ５００９ｂで演算によって求めた該携帯電話の位置と該当するユニットとの距離を求め、その距離に応じて遠ければ小さい音を、近ければ徐々に大きい音を出す。
【００４６】
使用者が正しい操作をした事を、ステップＳ５０１０で各ユニットに設けられたセンサ類３０８で検知したら、Ｓ５０１１で解除修理が全て終了したか判定し、まだであればＳ５０１２で次に操作すべきユニットを使用者に知らせるコマンドを、携帯情報端末に対して出力する。
【００４７】
以降、使用者が紙詰りを取り除くまで、Ｓ５０１３からＳ５００９を順次繰り返し、使用者が紙詰まり解除処理を進めるためのサポートを行う。
【００４８】
ステップＳ５０１１で解除修理が全て終了したと判定された場合、ステップＳ５０１４で前ドアを閉める指示を出力する。ステップＳ５０１５で使用者がドアを閉めたら紙詰まり解除の終了。
【００４９】
【発明の効果】
以上説明したように本発明によれば、情報として必要なデータを記憶する携帯情報端末と、携帯情報端末に記憶している情報を無線インターフェースで読み取る装置と、読み取ったデータに基づいて本体のユーザーインターフェース手段及び携帯情報端末に命令する手段を具備した画像形成装置において、前記記録媒体に身体障害者の障害の種類を記憶させておくことにより障害の種類に応じた紙詰まり解除サポートを行うことを特徴とした画像形成装置であり、障害者も健常者も操作のしやすい画像形成装置を提供するものである。
【図面の簡単な説明】
【図１】本発明の実施形態に係る画像形成装置の制御系の構成を示すブロック図
【図２】本実施形態の画像形成装置の一例を示す断面構成図
【図３】本実施形態の画像形成装置の本体に設けた操作部の配置構成例を示す図
【図４ａ】本実施形態の画像形成装置の本体に設けた表示部であり、表示の一例を示す図
【図４ｂ】本実施形態の携帯情報端末に設けた表示部であり、表示の一例を示す図
【図４ｃ】本実施形態の携帯情報端末に設けた表示部であり、表示の一例を示す図
【図５】本実施形態の携帯情報端末の一例を示す外観図
【図６】本実施形態の携帯情報端末の制御系の構成を示すブロック図
【図７】紙詰まり解除サポート処理に先立って行う、使用者の個人情報を携帯情報端末から複写装置に取り込む動作を示すフローチャート
【図８】本実施形態の画像形成装置における制御回路の紙詰まり解除サポート処理の一例を示すフローチャート
【符号の説明】
３５０　液晶コントローラ
３５１　ドアスイッチ開閉検知
３５２　紙検知
３５３　受信アンテナ
４０１　携帯情報端末との無線インターフェース
７００　メッセージディスプレイ
７０１　ＬＣＤユニット
８５３　キー入力
８６１　音声発生手段（音声案内手段）
１００４　制御回路（コントローラ）
【図１】
2004109445.tif 000003
【図２】
2004109445.tif 000004
【図３】
2004109445.tif 000005
【図４ａ】
2004109445.tif 000006
【図４ｂ】
2004109445.tif 000007
【図４ｃ】
2004109445.tif 000008
【図５】
2004109445.tif 000009
【図６】
2004109445.tif 000010
【図７】
2004109445.tif 000011
【図８】
2004109445.tif 000012